(57)【要約】【課題】微小な可動部を有する微小構造体を簡易に精度よく検査できる微小構造体の検査装置および微小構造体の検査方法を提供する。【解決手段】可動部を有する微小構造体を備えたウェハＷの検査を行う。まず、プローブカード５とウェハＷの位置合わせをし、プローブ針６と電極パッドＰの電気的接続を行う。テスタ２の制御部Ｔ２の指示で、駆動部Ｔ３はホルダー１１を上下に駆動させ、ホルダー１１に支持されたインカー１０でウェハＷを叩く。微小構造体周辺のウェハＷ上をインカー１０で直接叩打することで、ウェハＷが振動し、微小構造体の可動部は加振して自由振動する。これが可動部のステップ入力になり、自由振動特性を計測することができる。【選択図】図１
2010048599.tif 000002
【特許請求の範囲】
【請求項１】
基板上に形成された可動部を有する、少なくとも１つの微小構造体の特性を評価する微小構造体の検査装置であって、
前記基板上に形成された前記微小構造体の検査用電極と電気的に接続するプローブ針と、
前記プローブ針を固定支持するプローブカードと、
前記微小構造体に印を付ける手段と、前記可動部の周辺の基板上を叩打する手段とを備えるインカーと、
前記インカーで前記可動部の周辺部を叩打することにより与えられた可動部の変位を、前記プローブ針を介して得られる電気信号によって検出する検出手段と、
を備えることを特徴とする微小構造体の検査装置。
【請求項２】
前記インカーの印を付ける手段は、インクを塗布するペンを備え、前記可動部の周辺の基板上を叩打する際において、前記ペンを覆う手段を備えることを特徴とする請求項１に記載の微小構造体の検査装置。
【請求項３】
前記インカーの印を付ける手段は、インクを吐出するノズルと、前記ノズルから吐出するインクの有無を切替える手段とを備えることを特徴とする請求項１に記載の微小構造体の検査装置。
【請求項４】
基板上に形成された可動部を有する、少なくとも１つの微小構造体の特性を評価する微小構造体の検査方法であって、
前記基板上に形成された前記微小構造体の検査用電極にプローブ針を接触させる通電ステップと、
前記微小構造体に印を付ける手段と、前記可動部の周辺の基板上を叩打する手段とを有するインカーで、前記可動部の周辺の基板上を叩打し、前記可動部に変位を与える変位付与ステップと、
前記変位付与ステップで与えた前記可動部の変位を、前記プローブ針を介して得られる電気信号により検出する検出ステップと、
前記検出ステップで検出した電気信号に基づいて前記微小構造体の特性を評価する評価ステップと、
を備えることを特徴とする微小構造体の検査方法。
【請求項５】
前記評価ステップは、
前記検出ステップで検出した電気信号に基づいて前記可動部のＱ値を算出する算出ステップと、
前記Ｑ値が所定の範囲にあるときに前記微小構造体を正常と判断し、前記所定の範囲外にあるときに前記微小構造体が不良品であると判断する、判定ステップと、
を備えることを特徴とする請求項４に記載の微小構造体の検査方法。
【請求項６】
前記判定ステップで不良品と判断された前記微小構造体に、前記インカーで印を付ける標付けステップを備えることを特徴とする請求項４または５に記載の微小構造体の検査方法。
【請求項７】
前記判定ステップで不良と判断された前記微小構造体の、前記基板上の位置を記憶する記憶ステップを備え、
前記標付けステップは、前記基板上の２以上の前記微小構造体について前記評価ステップで評価したのちに、前記記憶ステップで記憶した前記基板上の位置に基づいて、前記判定ステップで不良品であると判断された前記微小構造体に、前記インカーで印を付けることを特徴とする請求項６に記載の微小構造体の検査方法。
【発明の詳細な説明】
【技術分野】
【０００１】
本発明は、微小構造体の検査装置および微小構造体の検査方法に関する。
【背景技術】
【０００２】
近年、特に半導体微細加工技術等を用いて、機械・電子・光・化学等の多用な機能を集積化したデバイスであるＭＥＭＳが注目されている。これまでに実用化されたＭＥＭＳ（Micro Electro Mechanical Systems）技術としては、たとえば自動車・医療用の各種センサとして、マイクロセンサである加速度センサや圧力センサ、エアーフローセンサ等にＭＥＭＳデバイスが搭載されてきている。
【０００３】
また、今後ＭＥＭＳ技術を利用したさまざまなセンサやアクチュエータが開発されることにより光通信・モバイル機器への応用、計算機の周辺機器への応用、さらにはバイオ分析や携帯用電源への応用へと展開することが期待されている。
【０００４】
一方で、ＭＥＭＳデバイスの発展に伴い、微細な構造等であるがゆえにそれを適正に検査する方式も重要となってくる。従来においては、パッケージ後にデバイスを回転させることや、あるいはパッケージ後に振動等の手段を用いてその特性の評価を実行してきたが、微細加工技術後のウェハ状態等の初期段階において適正な検査を実行して不良を検出することによりコストとスループットを向上させ製造コストをより低減することが可能となる。
【０００５】
検査方法としては、パッケージ後の微小構造体に対して、インパルスハンマを用いてパッケージを載せた台座を直接に加振する。加振により変位した微小構造体の可動部より、得られる変位量から減衰比ξなどの機械特性を求め、しきい値と測定値の比較により、良否を判断する方法がある。ここで減衰比ξは、構造の加振周波数を意図的にスキャンして共振周波数を求め、共振曲線の半値幅（ＦＷＨＭ：Full Width at Half Maximum）より減衰比を求める。微小構造体の機械特性は、減衰率ξ、Ｑ値、固有振動数ｆ0、損失係数τなどが挙げられる。
【０００６】
特許文献１には、超音波を可動部に対し出力し、物体にスローダイナミックスを引き起こさせ物理的変化、ここでは物体の弾性率変化を計測する方法が記載されている。また、特許文献２には、ＰＺＴ（チタン酸ジルコン酸鉛）超音波変換素子を微小構造体に直に接触させ、動的応答を計測する方法が記載されている。
【０００７】
特許文献３には、ＭＥＭＳセンサの検査方法として、可動部を有する構造体（コンデンサ）にＲＦ（高周波）で電気信号を入力し、検知した出力信号より、共鳴周波数、ばね定数、減衰比、周波数特性および履歴（動作特性）を検出する方法が記載されている。なお、電気信号の入力は、ＲＦ（高周波）で行われる。
【０００８】
【特許文献１】特表２００４−５２３７６８号公報
【特許文献２】米国特許第６５９５０５８号明細書
【特許文献３】米国特許出願公開第２００７／００８０６９５号明細書
【発明の開示】
【発明が解決しようとする課題】
【０００９】
特許文献２においては、微小構造体の可動部を直接加振できず、微小構造体の可動部の振動と、パッケージ（ＰＫＧ）もしくは支持筺体の振動が重畳されるなどして測定精度低下の原因となっていた。測定精度低下を防止するため、超音波などを用いて可動部に変位を与える方法が特許文献１や特許文献３に記載されているが、外部変位源が必要であり、かつ、可動部の位置に正確に印加することが難しい。また、可動部の構造によっては、測定に充分な変位を与えるために、所定の大きさ以上の力が必要であるが、間接的な変位の印加では限界があった。
【００１０】
本発明はこうした状況に鑑みてなされたものであり、その目的は、微小な可動部を有する微小構造体を簡易に精度よく検査できる微小構造体の検査装置および微小構造体の検査方法を提供することである。
【課題を解決するための手段】
【００１１】
上記目的を達成するため、本発明の第１の観点に係る微小構造体の検査装置は、
基板上に形成された可動部を有する、少なくとも１つの微小構造体の特性を評価する微小構造体の検査装置であって、
前記基板上に形成された前記微小構造体の検査用電極と電気的に接続するプローブ針と、
前記プローブ針を固定支持するプローブカードと、
前記微小構造体に印を付ける手段と、前記可動部の周辺の基板上を叩打する手段とを備えるインカーと、
前記インカーで前記可動部の周辺部を叩打することにより与えられた可動部の変位を、前記プローブ針を介して得られる電気信号によって検出する検出手段と、
を備えることを特徴とする。
【００１２】
好ましくは、前記インカーの印を付ける手段は、インクを塗布するペンを備え、前記可動部の周辺の基板上を叩打する際において、前記ペンを覆う手段を備えることを特徴とする。
【００１３】
さらに好ましくは、前記インカーの印を付ける手段は、インクを吐出するノズルと、前記ノズルから吐出するインクの有無を切替える手段とを備えることを特徴とする。
【００１４】
本発明の第２の観点に係る微小構造体の検査方法は、
基板上に形成された可動部を有する、少なくとも１つの微小構造体の特性を評価する微小構造体の検査方法であって、
前記基板上に形成された前記微小構造体の検査用電極にプローブ針を接触させる通電ステップと、
前記微小構造体に印を付ける手段と、前記可動部の周辺の基板上を叩打する手段とを有するインカーで、前記可動部の周辺の基板上を叩打し、前記可動部に変位を与える変位付与ステップと、
前記変位付与ステップで与えた前記可動部の変位を、前記プローブ針を介して得られる電気信号により検出する検出ステップと、
前記検出ステップで検出した電気信号に基づいて前記微小構造体の特性を評価する評価ステップと、
を備えることを特徴とする。
【００１５】
好ましくは、前記評価ステップは、
前記検出ステップで検出した電気信号に基づいて前記可動部のＱ値を算出する算出ステップと、
前記Ｑ値が所定の範囲にあるときに前記微小構造体を正常と判断し、前記所定の範囲外にあるときに前記微小構造体が不良品であると判断する、判定ステップと、
を備えることを特徴とする。
【００１６】
好ましくは、前記判定ステップで不良品と判断された前記微小構造体に、前記インカーで印を付ける標付けステップを備えることを特徴とする。
【００１７】
さらに好ましくは、前記判定ステップで不良と判断された前記微小構造体の、前記基板上の位置を記憶する記憶ステップを備え、
前記標付けステップは、前記基板上の２以上の前記微小構造体について前記評価ステップで評価したのちに、前記記憶ステップで記憶した前記基板上の位置に基づいて、前記判定ステップで不良品であると判断された前記微小構造体に、前記インカーで印を付けることを特徴とする。
【発明の効果】
【００１８】
本発明の微小構造体の検査装置および微小構造体の検査方法によれば、微小な可動部を有する微小構造体を簡易に精度よく検査することができる。
【発明を実施するための最良の形態】
【００１９】
以下、この発明の実施の形態について図面を参照しながら詳細に説明する。なお、図中同一または相当部分には同一符号を付し、その説明は繰り返さない。図１は、本発明の一実施の形態に係る微小構造体の検査装置の構成概略図を示す。図２（ａ）は、本発明の実施の形態に係る微小構造体の検査装置のインカーを示すブロック図である。
【００２０】
ウェハ検査装置１は、テスタ２と、プローバ３と、ステージ（チャック装置）４と、プローブカード５と、パフォーマンスボード８と、テストヘッド９と、インカー１０と、を備える。ステージ４は、可動部を有する微小構造体を含む、テスト対象物であるウェハＷを固定する。プローブカード５は、プローブ針６を備える。パフォーマンスボード８は、プローブカード５を固定し、かつ、テストヘッド９とプローブカード５との間で信号伝送を仲介する役割を有する。ステージ４およびテストヘッド９のいずれかもしくは両方は、水平移動（Ｘ軸、Ｙ軸、θ回転）および昇降（Ｚ軸）が可能で、ウェハＷをプローブカード５に対向させ、所定の位置に支持できる。
【００２１】
インカー１０は、不良と判定されたチップに印を付けるときの標付け手段や、微小構造体に変位を与えるときの叩打手段として用いる。インカー１０はホルダー１１に支持され、さらにホルダー１１に備えられた状態で、インカーベース１２に備えられる。インカーベース１２は、テストヘッド９に設置される。インカー１０は、ウェハＷとプローブカード５が対向した位置に支持されるときに、ウェハＷに対向する位置に支持される。インカー１０を駆動するときに必要な位置の調整は、インカーベース１２の位置の調整により行う。インカーベース１２の位置は、テスタ２の制御部Ｔ２から駆動部Ｔ３が指示を受け、駆動部Ｔ３により制御され、インカーベース１２が水平移動（Ｘ軸、Ｙ軸、θ回転）および昇降（Ｚ軸）することで、インカー１０を所定の位置に支持できる。
【００２２】
テスタ２にある制御部Ｔ２は、テスタ２全体、および、駆動部Ｔ３、測定部Ｔ４、位置測定部Ｔ５、記憶部Ｔ６、へ指示を出し、これらの制御を行う。データ入出力部Ｔ０はパソコンなどの外部機器であり、測定したデータの合否判定の元となるデータの入力や、実際に測定したデータの出力などが行われる。データ入出力部Ｔ０は、入出力インターフェースＴ１を介して、テスタ２の制御部Ｔ２と接続されている。
【００２３】
駆動部Ｔ３は、制御部Ｔ２の指示を受けて、インカー１０の駆動を制御する。インカー１０は、不良と判断されたウェハＷに印を付ける機能を有しており、制御部Ｔ２から駆動部Ｔ３へ指示が出され、その指示を受けた駆動部Ｔ３により、インカー１０は上下運動させられ、ウェハＷに印を付けることができる。また、同じ動きである上下運動を利用して、インカー１０でウェハＷを叩打することも可能である。インカー１０でウェハＷを叩打するときに、ウェハＷを破損することがないように、インカー１０の素材は、不純物がなく、耐薬品性、耐熱性を備えたフッ素樹脂などを用いる。また、ウェハＷに印を付けることがないように、駆動部Ｔ３よりインカー１０に対して駆動の切替えが行われる。インカー１０のインクを塗布する先を引き込み、もしくは先を覆い、インカー１０が直接インクを塗布しないようにする。また、インクの吐出を切替えることができるインカー１０を用いる場合は、インクが吐出しないように設定し、インカー１０が直接インクを塗布しないようにする。
【００２４】
測定部Ｔ４は、制御部Ｔ２の指示を受けて、プローブ針６および電極パッドＰを介して測定を行う対象物（ここではウェハＷ上の個々のチップを指す）に電流などの電気信号を入力することができる。また、電極パッドＰおよびプローブ針６を介して電気信号を出力することができる。測定部Ｔ４で検出された電気信号のデータ（以下、生データという）は、制御部Ｔ２に伝達され、数値処理などの加工が行われ、必要な情報が得られるデータ（以下、加工データという）となる。数値処理とは、得られたデータを整理してデータの背後に潜む関連や要因を探り易くするための加工を行うことを指す。例えば、ある物質の振動する様子を変位で与え（生データ）、それをフーリエ変換することで（加工データ）、ある物質の振動に係る共振周波数を得ることが可能である。
【００２５】
位置測定部Ｔ５は、アライメントカメラ７で得られた画像を解析し、プローブ針６と電極パッドＰの位置を制御部Ｔ２へ伝達する。もしくは、プローブ針６が電極パッドＰに触れる位置や圧力により、プローブ針６と電極パッドＰの位置を制御部Ｔ２へ伝達する。得られた位置情報をもとに、制御部Ｔ２では所定の位置になるようにステージ４もしくはテストヘッド９などの位置の調整が行われる。
【００２６】
記憶部Ｔ６では、データ入出力部Ｔ０で入力したデータを制御部Ｔ２を介して記憶・保存したり、測定部Ｔ４で測定した生データおよび制御部Ｔ２で加工した加工データを記憶・保存する。また、記憶部Ｔ６で記憶・保存していたデータを、制御部Ｔ２および入出力インターフェースＴ１を介して、データ入出力部Ｔ０へ出力する。
【００２７】
図２（ａ）に示すように、インカー１０ａは、インクを連続して吐出するペン先１０ｐと、ペン先１０ｐを支持するペン本体部１０ｈを備える。駆動部Ｔ３の制御により、インカーベース１２のスイッチ１０ｓが切り替わり、ペン本体部１０ｈの中にペン先１０ｐを引き込めることができる。ペン先１０ｐを引き込めることで、ペン先１０ｐは直接ウェハＷに触れず、ペン本体部１０ｈで叩打することができ、インクを塗布することなくインカー１０で叩打することが可能となる。このときインカーベース１２の位置を調整し、ウェハＷに印を付けるときはインカー１０ａのペン先１０ｐが、ウェハＷを叩打するときはインカー１０ａのペン本体部１０ｈが、ウェハＷに接触可能となるように支持しておく。
【００２８】
半導体製造において、チップに切り離す前のウェハＷの状態で、チップの良・不良を判定する。ウェハＷは複数のチップが並び、各々のチップは微小構造体と電極パッドＰを備えている。ウェハＷはステージ４に固定され、ウェハＷに対向する側のパフォーマンスボード８にプローブカード５は装着される。
【００２９】
水平方向（Ｘ軸、Ｙ軸方向）および高さ方向（Ｚ軸方向）の調整は、制御部Ｔ２で、アライメントカメラ７で撮影した画像からプローブ針６と電極パッドＰを認識し、それらの位置を検出する。水平方向（Ｘ軸、Ｙ軸方向）の位置が合っていない場合は、得られた位置情報をもとに、制御部Ｔ２からステージ４に水平移動（Ｘ軸、Ｙ軸、θ回転）の指示が出され、再度、アライメントカメラ７で位置検出が行われる。高さ方向（Ｚ軸方向）の位置が合っていない場合は、同様に、制御部Ｔ２からステージ４に昇降（Ｚ軸）の指示が出される。
【００３０】
電極パッドＰの接触位置および接触圧力により、ウェハＷの位置を合わせることができる。ウェハＷ上の電極パッドＰに接触するプローブ針６の位置を検出して、ステージ４またはテストヘッド９にフィードバックすることで、プローブカード５の水平方向の位置を制御できる。また、電極パッドＰにかかるプローブ針６の圧力を検出してフィードバックすることで、高さ方向についても制御できる。このとき、アライメントカメラ７は用いなくてもよいが、併用することで、短時間で精度良く位置合わせが施せる。
【００３１】
チップ上の微小構造体の可動部の検査を行う。制御部Ｔ２の指示で駆動部Ｔ３はホルダー１１のピストンを上下に動かす。ホルダー１１に支持されたインカー１０は連動して動き、微小構造体周辺のチップ上を直接叩打する。チップに振動が発生し、それが微小構造体の可動部に伝わり、加振して自由振動させる。これが可動部のステップ入力になり、自由振動特性を計測することができる。
【００３２】
具体的には、インカー１０ａで叩打する前に、制御部Ｔ２から駆動部Ｔ３に指示が出され、駆動部Ｔ３よりスイッチ１０ｓが切り替えられ、インカー１０ａのペン先１０ｐがペン本体部１０ｈに収納される。そして制御部Ｔ２から駆動部Ｔ３に、ホルダー１１のコイルの作動を制御するように指示が出される。駆動部Ｔ３より、ホルダー１１およびホルダー１１に指示されたインカー１０ａは制御され、インカー１０ａのペン本体部１０ｈでウェハＷの叩打が行われる。インカー１０ａのペン先１０ｐはペン本体部１０ｈの中に納められており、ウェハＷに直接触れることが無く、インクを塗布するおそれがない。
【００３３】
可動部を振動させている状態で、電極パッドＰと電気的に接続したプローブ針６を介して測定部Ｔ４で電気信号を検出する。例えば電気信号の検出は、静電容量の変化やピエゾ抵抗の変化を、電流や電圧などの変化で検出し、変位量などの生データとして情報を得る。微小構造体の可動部の、電気信号の検出方法が静電容量によるものである場合、静電容量の変化は、可動部に電圧を印加し、端子間に流れる電流（過度電流）により測定する。このとき与える電圧の大きさは、電気信号を検出するのに充分であって、インカー１０により与えられた可動部の変位（自由振動）に影響のないもので、微小な電圧であることが望ましい。例えば、交流電圧の振幅を５０ｍＶ、周波数を１００ｋＨｚなどに設定しておく。電気信号を検出する際に使用するプローブ針６は、切り替えにより電気信号入力と電気信号出力ができることで、信号ノイズの発生が少なく、精度良く電気信号を検出することができる。また、入力と出力とで別々のプローブ針６を用いてもよい。
【００３４】
測定部Ｔ４で得られた電気信号は、生データとして制御部Ｔ２に出力され、数値処理などが施され、加工データとなる。例えば加工データは、Ｑ値、減衰特性などの周波数特性を評価するときに用いるデータである。このとき、測定部Ｔ４で検出した電気信号を適当な大きさにするために、信号を増幅する調整部を備え、測定部Ｔ４から調整部を介して制御部Ｔ２へ生データを出力してもよい。
【００３５】
Ｑ値は主に、振動の状態を表す無次元数で、弾性波の伝播においては、媒質の吸収によるエネルギーの減少に関する値である。振動においては、一周期の間に系に蓄えられるエネルギーを、系から散逸するエネルギーで割ったもので、この値が大きいほど振動が安定であることを意味する。Ｑ値が大きいと、振動状態が安定しており、起動時間が長く、振動エネルギーの分散が大きいことを示す。振動パターンをフーリエ変換で周波数スペクトルに変換した値より共振周波数が求められ、さらに振動パターンをヒルベルト変換したスペクトルグラフの傾きからＱ値が求められる。例えば検査対象がＭＥＭＳの場合、共振周波数によりＭＥＭＳの可動部のバネ定数の異常の有無を判断できる。また、Ｑ値により圧力センサやジャイロセンサなどの構造不良が検出できる。
【００３６】
インカー１０のタイプは、上述したインカー１０ａ（ペン先１０ｐを引き込み、ペン本体部１０ｈに収納するタイプ）に限らない。例えば、ペン本体部１０ｈが伸びることで、ペン先１０ｐを覆うタイプでもよい。また、ペン先１０ｐを覆うことができるキャップを別途備え、叩打の際にキャップでペン先１０ｐを覆い、インクを塗布する部分が直接ウェハＷに触れないようにしてもよい。
【００３７】
さらに、インカー１０は、図２（ｂ）のように、吐出するインクの有無を切替えることができるタイプでもよい。インカー１０ｂは、インクを吐出するノズル１０ｎを備え、スイッチ１０ｔにより、吐出するインクの有無を切替えることができる。インカー１０ｂで叩打する際は、駆動部Ｔ３によりスイッチ１０ｔが切り替えられ、インクを吐出しないように設定される。そうすることにより、直接インカー１０ｂでウェハＷを叩打した場合であっても、ノズル１０ｂがウェハＷと接触してはいるが、インクの塗布を防止することができる。
【００３８】
インカー１０の駆動機構については、ウェハＷに印を付ける際に、直接に接触してインクを塗布する機能を有することが望ましい。ウェハＷに印を付ける際とウェハＷを叩打する際とで同じインカー１０を兼用しており、印を付ける際の動きを利用して、ウェハＷを叩打することで、簡易に駆動を制御することができるからである。具体的には、インカー１０は、インクをエア吹き付けなどで間接式に塗布するタイプではなく、ペンやノズルなどで直接に塗布するタイプであることが望ましい。また、インカー１０の駆動方法は、ホルダー１１のコイルによる切替えでピストンが上下し、連動してインカー１０が上下に往復することによりウェハＷを叩打する方法を用いているが、所定以上の速さと力で、ウェハＷを叩打できればよい。
【００３９】
また、ウェハＷの検査方法によっては、ウェハＷにインクを塗布しながら叩打する場合がある。叩打する際に、同時にインクを塗布することで、検査済であるかどうかを目視で識別が可能になる。インクを塗布しながら、すなわち標付けを行いながらウェハＷを叩打する場合は、不良品に対して標付けする場所と、叩打する場所をずらしておき、印が２箇所にあれば不良であることが判断できる。叩打する場所と標付けする場所をずらさずに、異なる色のインクを塗布する方法であっても構わない。ウェハＷを叩打した後に、インカーベース１２の位置を調整し、インカー１０で叩打した場所とは別の箇所にインカー１０が接触するようにしておき、インカー１０で標付けを行う。このとき用いるインカー１０は、インカー１０ａ、１０ｂのようにインクの塗布を切り替える機能はなくてよい。機能を有していても、インクが塗布できる状態のままで、スイッチ１０ｓ、１０ｔを切り替えせずに、叩打および標付けを行うことができる。
【００４０】
インカー１０で微小構造体の周辺部を叩打することにより、微小構造体の可動部に振動を与え、変位を付与することができる。インカー１０を用いることで、正確な位置を叩打でき、かつ、インカー１０の通常のインク打ちのスピードと同等もしくはそれ以上のスピード、例えば毎秒６回以上のスピードで加振できる。ウェハＷ上のチップに対して叩打できるので、間接的に振動を与える音波などの外部変位源に比べて、比較的強い力を加えることが可能である。また、微小構造体の可動部がむきだしとなっていない場合であっても、力を印加できる。可動部が覆われた構造のときは、可動部の周辺のチップを叩打する他、直接、可動部を覆う部分に加振してもよい。インカー１０で叩打し、微小構造体の可動部に変位を印加する方法を用いることで、微小構造体の構造に関わらずに、検査が可能となる。
【００４１】
また、ウェハＷを置く台などを叩くことがないので、振動のノイズの重畳も小さくて済み、精度の高い測定が可能である。さらに、パッケージの状態にせずに検査できるので、より源流で不良品を省くことができ、作業時間の短縮や低コスト化等につながる。
【００４２】
検査する対象である可動部を有する微小構造体の例として加速度センサを挙げ、図３を用いて構造を説明する。ピエゾ抵抗型の加速度センサは、安価なＩＣプロセスを利用して製造できる。検出素子である抵抗素子を小さく形成しても感度低下がないため、小型化・低コスト化に有利である。
【００４３】
図３（ａ）は、三軸加速度センサの平面図である。三軸加速度センサ２０は、電極パッドＰ、重錘体２１、検出素子２２、振動部２３、ビーム２４、フレーム２５、を備える。このピエゾ抵抗型の三軸加速度センサ２０の動作原理は、重錘体２１が加速度（慣性力）を受けると、ビーム２４が変形し、その表面に形成されたピエゾ抵抗値の変化により加速度を検出するメカニズムである。
【００４４】
中央の重錘体２１は、Ｘ、Ｙの２軸方向で互いに直交するように形成された４本のビーム２４で支持される。軸方向で見ると、検出素子２２はビーム２４の両端に２つずつ備え、計４つの検出素子２２が直線に並ぶ。Ｚ軸方向の検出素子２２は、Ｘ軸方向の検出素子２２の横に配置されている。拡散抵抗として設けられたピエゾ抵抗素子からなる検出素子２２の抵抗値の変化を、検出素子２２と金属配線などで連結された電極パッドＰを介して、出力電圧により検出される。出力電圧は、３軸それぞれに独立に組み込まれた電気量の測定回路（ホイートストンブリッジ）の抵抗値の測定により、各軸に対して検出される。
【００４５】
図３（ｂ）はＸ軸方向（Ｙ軸方向）の加速度を受けた場合、（ｃ）はＺ軸方向の加速度を受けた場合の重錐体２１とビーム２４の変形を説明する概念図である。図中の太矢印Ａｘ（Ａｙ）、Ａｚは加速度の向きを表す。Ｘ軸方向検出素子２２をＲｘ１〜Ｒｘ４、Ｙ軸方向検出素子２２をＲｙ１〜Ｒｙ４、Ｚ軸方向検出素子２２をＲｚ１〜Ｒｚ４、として示す。これら検出素子２２は、加えられたひずみによってその抵抗値が変化する性質（ピエゾ抵抗効果）を有しており、引っ張り歪みの場合は抵抗値が増加し、圧縮歪みの場合は抵抗値が減少する。例えば各軸においては、ホイートストンブリッジで形成される回路の出力各軸の加速度成分が独立に分離された出力電圧として検出される。
【００４６】
図４のフローチャートを用いて、本発明の実施の形態における微小構造体の検査方法について説明する。微小構造体の検査装置１は、図１および図２（ａ）に示した装置を使用する。検査対象であるウェハＷは、図３の三軸加速度センサ２０を有するチップを複数備える。
【００４７】
ウェハＷの検査を開始する（ステップＳ０）。次に、電極パッドＰに、信号入出力端子の役割を有するプローブ針６を接触させる（ステップＳ１）。
【００４８】
次に、インカー１０ａで三軸加速度センサ２０を叩打し、外部から変位を与える（ステップＳ２）。具体的には、まず、制御部Ｔ２から駆動部Ｔ３へ、スイッチ１０ｓの切替えの指示が行われる。スイッチ１０ｓを切り替えることで、インカー１０ａのペン先１０ｐがペン本体部１０ｈに収納される。そして、インカーベース１２に取り付けられたホルダー１１のコイルの作動が切り替えられる。次に、制御部Ｔ２の指示を受けた駆動部Ｔ３により、ホルダー１１のピストンが上下に動かされる。連動してインカー１０ａが上下に動き、インカー１０ａのペン本体部１０ｈで３軸加速度センサ２０の重錘体２１の周辺部（ここではフレーム２５のエリアＲ１など）を叩打して、重錘体２１を自由振動させる。これが可動部のステップ入力になり、自由振動特性を計測することができる。
【００４９】
フレーム２５を叩かれた三軸加速度センサ２０は振動し、振動部２３を有する重錘体２１が連動して振動し、見かけ上の加速度が与えられる。重錘体２１が変位することで、連結したビーム２４が変位し、ビーム２４に備えられたピエゾ抵抗素子からなる検出素子２２の抵抗値が変化する。
【００５０】
次に、プローブ針６を用いて、検出素子２２の抵抗値の変化より、電気信号を検出する（ステップＳ３）。検出素子２２と金属配線などで連結された電極パッドＰを通りプローブ針６を介して、ピエゾ抵抗の変化が出力電圧の変化として検出でき、測定部Ｔ４で電気信号を検出し、制御部Ｔ２に出力される。
【００５１】
次に、制御部Ｔ２は、測定部Ｔ４で得られた電気信号（生データ）を、測定したい内容に合わせて加工した形（加工データ）に数値処理などを施し、データを処理する（ステップＳ４）。可動部の周波数特性を知るための指標は幾つかあるが、ここでは主に、Ｑ値を算出する。他に、減衰特性などを求めておくことも可能である。
【００５２】
ステップＳ４で求めた加工データのＱ値などが、許容の範囲に入っているかを判定する（ステップＳ５）。予めデータ入出力部Ｔ０で良品となる可動部の周波数特性（Ｑ値、減衰特性）の値を入力し、閾値の設定をしておく。制御部Ｔ２において、チップ（三軸加速度センサ２０）が許容の範囲にあると判定された場合には（ステップＳ５；ＹＥＳ）、合格となる（ステップＳ６）。一方、許容の範囲でないと判定された場合には（ステップＳ５；ＮＯ）、不合格となる（ステップＳ７）。不合格と判定されたチップは、ステップＳ２で叩打する際に使用したインカー１０ａを用いて、標付けされ、チップ切り出し後に除去するなどして、良品との選別が行われる。標付けの前に予め、制御部Ｔ２の指示によりスイッチ１０ｓを切替えておき、インカー１０ａのペン先１０ｐをペン本体部１０ｈから出した状態にしておく。また、インカーベース１２を昇降させ、ウェハＷにペン先１０ｐが接触する高さに調整しておく。
【００５３】
さらに次の検査すべきチップがある場合には（ステップＳ８；ＹＥＳ）、最初のステップＳ１に戻り、次の検査チップに対して再び上述した検査を実行する。次に検査するチップがない場合には（ステップＳ８；ＮＯ）、ウェハＷの検査（テスト）を終了する（ステップＳ９）。
【００５４】
ステップＳ２において、インカー１０ａのペン本体部１０ｈからペン先１０ｐが出ている状態のまま、３軸加速度センサ２０の重錘体２１の周辺部（ここではフレーム２５のエリアＲ１）を叩打してもよい。インカー１０ａはインクを塗布できる状態であるので、叩打するときにエリアＲ１に標付けが行われる。検査工程が進み、不良品と判定されたチップは、ステップＳ７でフレーム２５のエリアＲ２に標付けが行われる。どちらのステップにおいても、インカー１０ａのペン先１０ｐを収納する必要がないので、スイッチ１０ｓの切り替えを行うことなく、作業をすることができる。但し、インカー１０ａを稼働させる場所をエリアＲ１とエリアＲ２とで別に設定しており、制御部Ｔ３によりインカーベース１２の位置を調整する必要がある。
【００５５】
インカー１０ａでインクを塗布しながら叩打する検査方法では、ウェハＷを叩打する際にＲ１に標付けを行っているので、チップは、検査済であることが目視で確認できる。エリアＲ１に印があり、かつ、エリアＲ２に印がなければ良品、エリアＲ１、エリアＲ２の両方に印があるチップは不良品であることが判断できる。
【００５６】
ステップＳ４において、Ｑ値を測定することで、三軸加速度センサ２０に異常があることが分かる。Ｑ値が小さい場合は、振動がすぐに減少したことを意味しており、可動部が破損している可能性が考えられる。考えられる原因としては、例えば、製造工程におけるレジストマスク形成がうまく行われず、ウェハＷの保護が不十分であったため、必要以上にエッチングされ、あるべき形状が欠けてしまっているなどである。また、３軸それぞれに対してＱ値を測定できるので、可動部が不均衡であることなども、検査により分かる。
【００５７】
さらに、Ｑ値と共振周波数により、膜厚異常などの異常を判断できる。例えば、Ｑ値は閾値の範囲にあるが、共振周波数が大きいと判定された場合は、破損はしてはいないが振動部２３の膜厚異常や、保護膜の膜応力異常などが発生していることがある。
【００５８】
また、必要であれば、測定部Ｔ４で検出したデータを、制御部Ｔ２で出力し、データの記憶・保存を実行してもよい。データの保存については、制御部Ｔ２からの指示に基づいてテスタ２内部に設けられたメモリ等の記憶部Ｔ６に記憶されるものとする。測定で得られた結果を良否の判定だけでなく、保存して蓄積することで、不良の原因の分析などにも利用できる。さらに、予測される不具合の原因が製造工程にある場合に、製造工程の対応するシステムへ制御指示が出るようにしておくことによって、製造工程での不良を低減させることができる。このときフィードバックする情報は、異常を示す数値のみならず、閾値の範囲内の数値について行ってもよく、品質の向上と安定した生産に役に立つ。
【００５９】
図５は、本発明の実施の形態における微小構造体の検査方法の変形例を示したフローチャートである。基本的な検査方法は、図４で示した通りである。
【００６０】
ウェハＷの検査を始める（ステップＳ２０）。ウェハＷの電極パッドＰにプローブ針６を接触し（ステップＳ２１）、インカー１０で３軸加速度センサ２０の重錘体２１の周辺部（ここではフレーム２５）を叩打し（ステップＳ２２）、外部から変位を付与する。これが可動部のステップ入力になり、自由振動特性を計測することができる。
【００６１】
次に、抵抗値の変化より電気信号を検出し（ステップＳ２３）、電気信号（生データ）をＱ値などの可動部の周波数特性を示す値（加工データ）に数値処理などしてデータを処理する（ステップＳ２４）。予めデータ入出力部Ｔ０で入力し記憶部Ｔ６に保存しておいた良品の数値と、制御部Ｔ２で求められた数値を比較し、可動部の周波数特性（Ｑ値、減衰特性）の値が許容の範囲にあるか判定する（ステップＳ２５）。許容の範囲にあると判定された場合は（ステップＳ２５；ＹＥＳ）、そのまま次のステップＳ２６に進む。許容の範囲にないと判定された場合は（ステップＳ２５；ＮＯ）、良品でないと判定されたチップは不合格と判断される（ステップＳ３０）。
【００６２】
ステップＳ２５において、三軸加速度センサ２０の重錘体２１は構造上の問題がないと判断されたチップは、他の検査項目がなければ（ステップＳ２６；ＮＯ）、合格と判断される（ステップＳ２９）。チップの種類などにより異なるが、例えば他の検査項目とは、電極パッドＰ欠落などの構造異常がないかの確認や、応答速度や応答精度などの電気的特性試験などが挙げられる。
【００６３】
他の検査項目があれば（ステップＳ２６；ＹＥＳ）、引き続き同じチップの検査が行われる（ステップＳ２７）。既にステップＳ２１で、ウェハＷの電極パッドＰとプローブ針６の位置合わせを行っているので、すぐに検査をすることができる。 検査で得られた測定データを、予め入力していたデータと比較する。許容の範囲にあると判定された場合は（ステップＳ２８；ＹＥＳ）、合格と判断される（ステップＳ２９）。許容の範囲にないと判定された場合は（ステップＳ２８；ＮＯ）、不合格と判断される（ステップＳ３０）。
【００６４】
微小構造体の可動部が不良と判定された場合（ステップＳ２５；ＮＯ）や、チップに不良部分を有している場合（ステップＳ２８；ＮＯ）は、ともに、不合格となる（ステップＳ３０）。制御部Ｔ２より記憶部Ｔ６に指示が出され、不合格と判定されたチップの基板上の位置を記憶・保存しておく。
【００６５】
さらに次の検査すべきチップがある場合には（ステップＳ３１；ＹＥＳ）、最初のステップＳ２１に戻り、次の検査チップに対して再び上述した検査を実行する。次に検査するチップがない場合には（ステップＳ３１；ＮＯ）、次のステップＳ３２へ進む。
【００６６】
複数のチップを有するウェハＷの各々のチップについて、ステップＳ２１からステップＳ３１を行い、合否判定を行う。ステップＳ３０で不合格と判定されたチップに対応する基板上の位置は記憶部Ｔ６にまとめて記憶された状態となっている。その記憶部Ｔ６に記憶された位置情報を元に、制御部Ｔ２より駆動部Ｔ３へ指示が出される。駆動部Ｔ３はインカー１０ａを制御し、インカー１０ａで不合格と判定されたチップに標付けを行う（ステップＳ３２）。そして、ウェハＷの検査（テスト）を終了する（ステップＳ３３）。ステップＳ３２で印を付けられたチップは、ウェハＷ検査終了後の、チップ切り出し後に除去するなどして、良品との選別が行われる。
【００６７】
ステップ２２において、インクを塗布できる状態のインカー１０でウェハＷを叩打することで、検査済であることが目視で確認できるようになる。検査済であるかの確認が容易となり、未検査の状態のチップが、次工程へ流出するのを防止することができる。
【００６８】
さらに、ステップＳ２５やステップＳ２８において、許容の範囲でないと判断されたチップの位置を記憶部Ｔ６に記憶・保存するだけでなく、即時にデータ入出力部Ｔ０に出力するように設定しておくことで、検査工程中であっても不良箇所の確認が容易となる。ステップＳ３２で印を付けるときの印を、位置をずらしたり、検査項目毎にインクの色分けすることによっても、不良箇所の確認が容易となり、不良原因の分析に活用できる。これらの情報を製造工程にフィードバックするなど品質管理に活用し歩留まりを改善することができる。
【００６９】
また、他の検査項目がある場合（ステップＳ２６）において、可動部の構造を先に検査するかどうかは、チップや微小構造体の特徴などにより、決めることができる。不良率が高い項目や、不良の内容が致命的な欠陥項目である場合は、先に検査して良品と不良品とを選別しておくことで、効率よく検査できる。また、一旦は不合格とされたチップであっても、製品に求められる精度に合わせて制御部Ｔ２での許容の範囲の設定を変えたり、補修するなどして、何らかの形で用途を見出すことで、不良率を低減させることも可能である。
【００７０】
次に、本発明の実施の形態の例として、検査する対象の試料Ｓをピエゾ抵抗型加速度センサの重錘とした場合の結果を図６ないし図８に示す。図６は減衰振動パターンを示すグラフ、図７は周波数スペクトルの例を示すグラフ、図８はヒルベルト変換したスペクトルを示すグラフを表す。
【００７１】
図６で得られた減衰振動パターンをフーリエ変換したグラフが図７の周波数スペクトルである。ピーク値より、試料Ｓの共振周波数は７８７．７Ｈｚであり、周波数スキャン法（最小分解能１０Ｈｚ）で求めた共振周波数７８０Ｈｚと一致する。図８のグラフ傾きより、Ｑ値は６５２．２である。
【００７２】
実施例より、本発明の実施の形態による検査法を用いても、共振周波数の値は従来の測定法である共振曲線の半値幅（ＦＷＨＭ）を用いた結果と一致することから、測定可能であることがわかる。
【００７３】
本発明の微小構造体の検査装置および微小構造体の検査方法によれば、簡易に、ノイズの影響が少なく測定に充分な力を印加でき、かつ、再現性が高く時間も制御できるので、精度よく検査できる。検査装置の一部であったインカーを用いることで、特別に外部変位源を用意する必要がない。また、変位を与えるために叩打する作業を、インカーの本来の機能であるインクを塗布する動きを生かして行うので、正確な位置に早く作業を行うことができる。
【００７４】
さらに、外部変位源による印加手段が、音波などの間接的な印加手段のために微小構造体の可動部の構造によっては変位が不十分であった対象物に対しても、直接に可動部周辺を叩打することで、測定に充分な変位を得ることができる。また、パッケージする前に測定できるので、パッケージなどのノイズのおそれもなく、精度が高い検査を行える。
【００７５】
なお、実施の形態で説明した微小構造体の検査装置の構成は一例であり、任意に変更及び修正が可能である。例えば微小構造体の検査装置は図１に限定されず、様々な形状、パターン、大きさにすることができる。インカーについても、上述した実施の形態の例に限定されず、インカーで叩打する位置や不良品に印を付ける位置についても、任意に設定可能である。
【００７６】
検査装置が処理ユニットの形で、製造プロセスの一環として付随していてもよい。また、検査する対象をピエゾ抵抗型の加速度センサを例に挙げて説明したが、可動部を有する微小構造体であればよく、振動型の角速度センサ（ジャイロ）や、容量型の加速度センサなどがあり、測定の検出方法については各センサの使用形態に合わせて検出する。
【図面の簡単な説明】
【００７７】
【図１】本発明の実施の形態に係る微小構造体の検査装置の構成図である。
【図２】（ａ）は、本発明の実施の形態に係る微小構造体の検査装置のインカーを示すブロック図である。（ｂ）は、変形例である。
【図３】可動部を有する微小構造体の例で、（ａ）は、三軸加速度センサの平面図である。（ｂ）は、Ｘ軸方向（Ｙ軸方向）の加速度を受けた場合の重錐体とビームの変形を説明する概念図である。（ｃ）は、Ｚ軸方向の加速度を受けた場合の重錐体とビームの変形を説明する概念図である。
【図４】本発明の実施の形態に係る微小構造体の検査方法を示す全体のフローチャート図である。
【図５】本発明の実施の形態に係る微小構造体の検査方法の変形例を示す全体のフローチャート図である。
【図６】ピエゾ抵抗型加速度センサを測定した実施例の減衰振動パターンを示すグラフである。
【図７】実施例における周波数スペクトルの例を示すグラフである。
【図８】実施例におけるヒルベルト変換したスペクトルを示すグラフである。
【符号の説明】
【００７８】
１  ウェハ検査装置
２  テスタ
３  プローバ
４  ステージ（チャック装置）
５  プローブカード
６  プローブ針
１０  インカー
１１  ホルダー
１２  インカーベース
２０  三軸加速度センサ
２１  重錘体
２２  検出素子（ピエゾ抵抗素子）
２５  フレーム
Ｐ  電極パッド
Ｗ  ウェハ
【図１】
2010048599.tif 000003
【図２】
2010048599.tif 000004
【図３】
2010048599.tif 000005
【図４】
2010048599.tif 000006
【図５】
2010048599.tif 000007
【図６】
2010048599.tif 000008
【図７】
2010048599.tif 000009
【図８】
2010048599.tif 000010